(57)【要約】【課題】  受け取った人が興味関心を持ち、確実に内容を確認してもらい、末永く使用してもらえるダイレクトメールにも使用可能なケースの提供。【解決手段】  組み合わされることで中空の箱体を構成する同一形状の一対のケース構成材１０，２０を備え、各ケース構成材１０，２０は、正方形の中央板１１，２１の対向する両辺から中央板１１，２１に対して略垂直に側板１２，１３，２２，２３が延出するようコ字形状に、透光性を有する樹脂により一体形成されている。各ケース構成材１０，２０の端縁は、ケース構成材の内側へ行くに従って、４５度の角度で傾斜する傾斜面とされており、一方のケース構成材に対して、他方のケース構成材をスライド可能にはめ込むことで前記箱体が構成されると共に、一方のケース構成材に対して他方のケース構成材が所望位置で保持可能に、各ケース構成材の各側板同士は、互いに近接する方向に若干傾斜して形成されている。【選択図】      図１
2005212804.tif 000002
【特許請求の範囲】
【請求項１】
組み合わされることで中空の箱体を構成する同一形状の一対のケース構成材を備え、
各ケース構成材は、正方形の中央板の対向する両辺から中央板に対して略垂直に側板が延出するようコ字形状に、透光性を有する樹脂により一体形成されてなり、
各ケース構成材の端縁は、ケース構成材の内側へ行くに従って、４５度の角度で傾斜する傾斜面とされており、
一方のケース構成材に対して、他方のケース構成材をスライド可能にはめ込むことで前記箱体が構成されると共に、一方のケース構成材に対して他方のケース構成材が所望位置で保持可能に、各ケース構成材の各側板同士は、互いに近接する方向に若干傾斜して形成されている
ことを特徴とするケース。
【請求項２】
矩形状の上板と、その上板の左右両辺から下方へ延出する左右板とからなる下方に開口したコ字形の上部材と、
矩形状の下板と、その下板の前後両辺から上方へ延出する前後板とからなる上方に開口したコ字形の下部材とを備え、
前記下部材に上部材がスライド可能にはめ込まれることで、中空の箱体が構成され、
上部材の上板の一辺に、少なくとも四つの矩形状片が一列に連接されてなる紙片の一端部が固定されており、
前記箱体が閉じられた状態において、上部材の上板の内面に沿うように前記紙片の第一片が配置され、その第一片に連接される第二片は、下部材の下板まで第一片に対して垂直下方に屈曲されており、この第二片に連接される第三片は、外方側へ第二片に対して折り返されており、第三片に連接される第四片は、第一片の上面と上部材の上板との間に差し込まれて配置される
ことを特徴とするケース。
【請求項３】
矩形状の上板と、その上板の左右両辺から下方へ延出する左右板とからなる下方に開口したコ字形の上部材と、
矩形状の下板と、その下板の前後両辺から上方へ延出する前後板とからなる上方に開口したコ字形の下部材とを備え、
前記下部材に上部材がスライド可能にはめ込まれることで、中空の箱体が構成され、
上部材の左右板の下端部には、紐状のリボンの一端部がそれぞれ固定されており、これら各リボンの他端部同士は、上部材の上板の上面において結ばれている
ことを特徴とするケース。
【請求項４】
前記上部材と下部材は、請求項１に記載の一対のケース構成材とされる
ことを特徴とする請求項２又は請求項３に記載のケース。
【請求項５】
送り先が表示されたメッセージカードが付される
ことを特徴とする請求項１から請求項４までのいずれかに記載のケース。
【発明の詳細な説明】
【技術分野】
【０００１】
本発明は、透明な中空の箱体であって、人形や小物などを飾ったり、送ったりするのに使用されるケースに関するものである。具体的には、フィギュア、ミニチュア、ミニカー、ドールハウス、又はギフトボックスなどとして使用できるケースに関するものである。そして、例えばダイレクトメールにも使用可能なケースに関するものである。
【背景技術】
【０００２】
例えば、商品や催し物の案内用のダイレクトメールを考えた場合、従来は、通常、封書やハガキなどが使用されてきた。そして、これを受け取った人が封書の中身やハガキの文面を確認するというものであった。このようなダイレクトメールは、企業の営業戦略として有効な手段として利用されてきている。
【発明の開示】
【発明が解決しようとする課題】
【０００３】
しかしながら、従来のダイレクトメールは、封書やハガキなどが使用されるため、趣向を凝らしたものとすることができなかった。そのため、中身を確認する前に破棄される場合も多々あった。
【０００４】
本発明は、上記事情に鑑みてなされたものであり、その主たる目的は、受け取った人が興味関心を持ち、確実に内容を確認してもらい、末永く使用してもらえるダイレクトメールにも使用可能なケースを提供することにある。
【課題を解決するための手段】
【０００５】
上記目的を達成するために、本発明のケースは、組み合わされることで中空の箱体を構成する同一形状の一対のケース構成材を備え、各ケース構成材は、正方形の中央板の対向する両辺から中央板に対して略垂直に側板が延出するようコ字形状に、透光性を有する樹脂により一体形成されてなり、各ケース構成材の端縁は、ケース構成材の内側へ行くに従って、４５度の角度で傾斜する傾斜面とされており、一方のケース構成材に対して、他方のケース構成材をスライド可能にはめ込むことで前記箱体が構成されると共に、一方のケース構成材に対して他方のケース構成材が所望位置で保持可能に、各ケース構成材の各側板同士は、互いに近接する方向に若干傾斜して形成されていることを特徴とする。
【０００６】
上記目的を達成するために、本発明のケースは、矩形状の上板と、その上板の左右両辺から下方へ延出する左右板とからなる下方に開口したコ字形の上部材と、矩形状の下板と、その下板の前後両辺から上方へ延出する前後板とからなる上方に開口したコ字形の下部材とを備え、前記下部材に上部材がスライド可能にはめ込まれることで、中空の箱体が構成され、上部材の上板の一辺に、少なくとも四つの矩形状片が一列に連接されてなる紙片の一端部が固定されており、前記箱体が閉じられた状態において、上部材の上板の内面に沿うように前記紙片の第一片が配置され、その第一片に連接される第二片は、下部材の下板まで第一片に対して垂直下方に屈曲されており、この第二片に連接される第三片は、外方側へ第二片に対して折り返されており、第三片に連接される第四片は、第一片の上面と上部材の上板との間に差し込まれて配置されることを特徴とする。
【０００７】
また、上記目的を達成するために、本発明のケースは、矩形状の上板と、その上板の左右両辺から下方へ延出する左右板とからなる下方に開口したコ字形の上部材と、矩形状の下板と、その下板の前後両辺から上方へ延出する前後板とからなる上方に開口したコ字形の下部材とを備え、前記下部材に上部材がスライド可能にはめ込まれることで、中空の箱体が構成され、上部材の左右板の下端部には、紐状のリボンの一端部がそれぞれ固定されており、これら各リボンの他端部同士は、上部材の上板の上面において結ばれていることを特徴とする。
【０００８】
さらに、好ましくは上記各構成に加えて、前記上部材と下部材は、上記記載の一対のケース構成材とされることを特徴とするケースである。
【０００９】
また、好ましくは上記各構成に加えて、送り先が表示されたメッセージカードが付されることを特徴とするケースである。
【発明の効果】
【００１０】
本発明のケースによれば、例えばダイレクトメールに使用すれば、それを受け取った人が興味関心を持ち、確実に内容を伝達することが可能で、しかも末永く使用してもらえる。
【発明を実施するための最良の形態】
【００１１】
以下、本発明のケースについて、実施例に基づき更に詳細に説明する。
図１は、本発明のケースの一実施例を示す図であり、（ａ）は分解斜視図であり、（ｂ）は組立状態の横断面図である。
【００１２】
本実施例のケースは、略コ字形状の上部材１０と下部材２０とからなり、これら両部材１０，２０が組み合わされることで立方体状の中空の箱体を構成するケースである。
上部材１０は、水平に配置される正方形の平板状の上板１１と、その上板１１の左右辺から上板１１に対して略垂直下方に延出する左右板１２，１３（左板１２，右板１３）とからなり、下方に開口したコ字形状とされる。本実施例では、左右板１２，１３は、上板１１と同様の正方形状とされている。
【００１３】
上部材１０の外端縁、すなわち，上板１１の前後端面１１ａ，１１ｂと、左右板１２，１３の各前後端面１２ａ，１２ｂ，１３ａ，１３ｂ及び下端面１２ｃ，１３ｃは、上部材１０の内側へ行くに従って、４５度の角度で傾斜する傾斜面とされている。つまり、上板１１の前後端面１１ａ，１１ｂは、下方に行くに従って、互いに近接するよう上板１１の上面に対して４５度の角度で傾斜している。また、左板１２の前後端面１２ａ，１２ｂは、右板１３側へ行くに従って、互いに近接するよう左板１２の外面に対して４５度の角度で傾斜しており、左板１２の下端面１２ｃは、外面側から内面側へ行くに従って、上板１１側へ外面に対して４５度の角度で傾斜する傾斜面とされている。さらに、右板１３の前後端面１３ａ，１３ｂは、左板１２側へ行くに従って、互いに近接するよう右板１３の外面に対して４５度の角度で傾斜しており、右板１３の下端面１３ｃは、外面側から内面側へ行くに従って、上板１１側へ外面に対して４５度の角度で傾斜する傾斜面とされている。
そして、左右板１２，１３同士は、近接する方向に若干傾斜して形成されている。
【００１４】
下部材２０は、水平に配置される正方形の平板状の下板２１と、その下板２１の前後辺から下板２１に対して略垂直上方に延出する前後板２２，２３（前板２２，後板２３）とからなり、上方に開口したコ字形状とされる。具体的には、この下部材２０は、前記上部材１０と同一形状とされ、上部材１０を上下に反転し、９０度回転させた状態で配置される。
【００１５】
上部材１０と下部材２０は、それぞれ樹脂製であり、射出成形によりコ字形状に一体形成されている。本実施例では、強化スチロール樹脂により一体形成されており、各部材１０，２０は、無色透明又は有色透明とされている。樹脂による一体形成とされているので、上部材１０と下部材２０は充分な弾力性を有する。なお、透明である必要は必ずしもないが、内部に小物等を収納して、ディスプレイケースとして使用する場合を考慮すると、少なくとも透光性を有するのが好ましい。
【００１６】
このような構成の上部材１０と下部材２０とを組み合せることにより中空の箱体を形成することができる。
図１に示すように、上部材１０の左右板１２，１３をそれぞれ下部材２０の前後板２２，２３間に配置する。そして、上部材１０の左右板１２，１３の前後端面１２ａ，１２ｂ，１３ａ，１３ｂと、下部材２０の前後板２２，２３の左右端面２２ａ，２２ｂ，２３ａ，２３ｂとを当接させながら、つまり傾斜面同士を当接させながら、下部材２０に対して上部材１０を下方へスライドさせて、下部材２０に対して上部材１０をはめ込むことで立方体状の箱体が構成される。
【００１７】
上部材１０が下部材２０に完全にはめ込まれた状態では、上部材１０の上板１１の前後端面１１ａ，１１ｂと、下部材２０の前後板２２，２３の各上端面２２ｃ，２３ｃとが当接すると共に、下部材２０の下板２１の左右端面２１ａ，２１ｂと、上部材１０の左右板１２，１３の各下端面１２ｃ，１３ｃとが当接している。この際、上部材１０の上板１１の前後辺と、下部材２０の前後板２２，２３の上辺とが一致し、また、下部材２０の下板２１の左右辺と、上部材１０の左右板１２，１３の下辺とが一致する。
【００１８】
上部材１０及び下部材２０の各板１１，１２，１３，２１，２２，２３の厚さが同一とされると共に、上部材１０の端縁１１ａ，１１ｂ，１２ａ，１２ｂ，１２ｃ，１３ａ，１３ｂ，１３ｃ及び下部材２０の端縁２１ａ，２１ｂ，２２ａ，２２ｂ，２２ｃ，２３ａ，２３ｂ，２３ｃがそれぞれ４５度の傾斜面とされていることで、上部材１０が下部材２０に完全にはめ込まれた状態では、上部材１０と下部材２０との境界線、つまり、つなぎ目はほとんど見えない。よって、本実施例のケースは、一体的な中空の立方体として視認される。
【００１９】
また、左右板１２，１３及び前後板２２，２３は、それぞれ互いに近接する方向に傾斜して形成されているので、下部材２０に対して上部材１０をはめ込んだ際、左右板１２，１３及び前後板２２，２３の傾斜面同士が当接して、上部材１０と下部材２０とは互いに締め付け合う。よって、下部材２０に対して上部材１０を下方へスライドさせる際、若干だが力を付加しなければ勝手には下方へ落ちていかない。換言すれば、上部材１０は、下部材２０に対する上下方向の位置が、所望の位置にて保持可能とされている。
【００２０】
このような構成の本実施例のケースは、上部材１０及び下部材２０が透明とされているので、内部に小物等を収納することで、ディスプレイケースとして使用することができる。また、本実施例のケースは、内部にプレゼントを収納して、贈答用の外箱としても使用することが可能である。この際、本実施例の上部材１０にリボンを付けることができる。
【００２１】
本実施例の上部材１０にリボンを付ける方法について説明する。
二本の紐状（帯状）のリボン３０，３１を用意し、図１に示すように、上部材１０の左右板１２，１３外面の前後方向中央に上下方向に沿うように各リボン３０，３１を配置する。そして、その各リボン３０，３１の下端部３０ａ，３１ａを上部材１０の左右板１２，１３の下端部で折り返し、上部材１０の左右板１２，１３内面の前後方向中央下部にそれぞれ貼着などにより固定する一方、各リボン３０，３１の上端部を上板１１の上面において互いに結ぶのである。
【００２２】
このようにリボン３０，３１を上部材１０にのみ取り付けるので、ケースを開封する際、リボン３０，３１を外す必要がない。しかも、上述したように、ケースを閉じた状態では、左右板１２，１３の各下辺（下側外端縁）は下板２１の左右辺（左右外端縁）とそれぞれ一致する。そして、リボン３０，３１の下端部３０ａ，３１ａを左右板１２，１３の下辺にかけ回していることで、外部から見た際、あたかもリボン３０，３１が下板２１にもかけ回されて、ケース全体をたばねているように視認される。
【００２３】
店舗などにおいては、予めリボン３０，３１を上部材１０に取り付けておくことで、顧客から購入物の包装の依頼があった場合に、その購入物を下部材２０の下板２１に配置し、上部材１０をはめ込むだけで、リボン付きの外箱とすることができる。従来の箱型の贈答用外箱の場合、一本のリボンを蓋だけでなく箱本体にもかけ回して、蓋の上面でその両端部を結んでいた。従って、蓋を開けるには、一旦リボンを外す必要があった。また、品物を箱に収納してからリボンをつける必要があったので、包装に時間がかかり顧客を待たせる必要があった。リボンを花形や蝶結びにしたものだけを、蓋に付けることもあるが、見栄えに欠けるものであった。
【００２４】
しかし、本実施例のように、リボンを備えるケースの場合、あたかもケース全体にリボンがかけ回されているように視認され、ケースの開封時にリボンを外す必要がなく、店舗などにおいては、予めリボンをつけておくことで、包装のために顧客を待たせることがなくなる。
【００２５】
本実施例のケースは、小物の郵送や、ダイレクトメールなどとして使用することが可能である。この場合、単に、ケース内に、物品や紙片を入れるだけでもよいが、この他、上部材１０に、各部材の各板１１，１２，１３とほぼ同形状の四つの正方形片４１，４２，４３，４４が一列に連接されてなる紙片４０を取り付けることで、次に述べるように、趣向を凝らした贈り物やダイレクトメールとすることができる。以下に、その説明をする。
【００２６】
図２から図４は、本発明のケースをダイレクトメールなどとして使用する状態を示す図であり、図２はケースを閉じた状態を示す図であり、（ａ）はその斜視図、（ｂ）は縦断面図である。図３は上部材を若干上方に引き上げた状態を示す図であり、（ａ）はその斜視図であり、（ｂ）は縦断面図である。また、図４は、図３の状態からさらに上部材を上方に引き上げた状態を示す図であり、（ａ）はその斜視図であり、（ｂ）は縦断面図である。なお、本実施例では、上述した方法により上部材にリボンが取り付けられている。
【００２７】
図２に示すように、下部材２０に対して上部材１０がはめ込まれて箱体とされた状態において、上記紙片４０の第一片４１を上板１１の内面に沿うように配置し、その一辺４１ａを上部材上板１１の後辺側端部にセロハンテープ１などにより貼着する。
【００２８】
第一片４１に連接される第二片４２は、第一片４１に対して垂直下方に屈曲されており、下部材２０の前板２２の内面に沿って配置される。第二片４２に連接される第三片４３は、第二片４２に対してケース外方側へ折り返されて、下部材前板２２と第二片４２との間に差し込まれる。第三片４３に連接される第四片４４は、第三片４３に対してケース内側へ直角に屈曲されており、上部材上板１１と第一片４１との間に差し込まれている。
【００２９】
この状態では、第二片４２と第三片４３との折り返し部４２ａが、下部材２０の下板２１と前板２２との角部に当接されており、紙片４０は、Ｌ字形に屈曲された状態で箱体内に保持される。そして、上部材１０及び下部材２０は透明とされているので、第三片４３及び第四片４４に記載された内容が、それぞれ下部材２０の前板２２と上部材１０の上板１１を介して視認される。
【００３０】
このように紙片４０が箱体内に収容された状態において、上部材１０を下部材２０に対して徐々に引き上げていくと、図３に示すように、紙片４０は自重により下方へ落下していく。この際、紙片４０は、上部材上板１１との貼着部（１）、つまり上板１１に固定された第一片４１の一辺４１ａを軸として、図３（ｂ）において右側へ回転しながら落下していく。これに伴い、第二片４２と第三片４３の折り返し部４２ａは、下部材２０の下板２１内面に沿って、右側へ移動して行く。
【００３１】
紙片４０が右側へ回転しながら落下することで、第一片４１は傾斜し、これに伴い、第一片４１の上部に載せ置かれていた第四片４４はすべり落ちていく。そして、さらに上部材１０を下部材２０に対して引き上げると、図４に示すように、第二片４２と第三片４３との折り返し部４２ａが下部材２０の下板２１と後板２３との角部に当接し、第三片４３と第四片４４とが下部材２０の下板２１と前板２２の内面にそれぞれ沿うように配置される。なお、この操作は、上部材１０を下部材２０に対して完全に引き上げる前に完了する。そして、図４の操作完了状態から、上部材１０を下部材２０に対して押し込み、箱体の状態に戻せばよい。
【００３２】
この状態においては、第一片４１に記載された内容が上部材１０の上板１１を介して外部から視認することが可能となる。つまり、最初の状態では第四片４４によって隠されていた文面等が見えるようになる。従って、非常にインパクトのあるメッセージを送ることができる。なお、例えば、第一片４１にカレンダーが記載されている場合には、卓上において使用することが可能となる。
【００３３】
ところで、下部材２０と上部材１０とは、上述したとおり、互いに締め付けあっているので、引き上げるのに、若干引っかかりが生じ、徐々に引き上げるのに好適である。また、上部材１０に取り付けられる上記紙片４０は、具体的には、細長い長方形状の紙を四つ折にすることで形成することができる。
【００３４】
このケースを郵送したい場合は、図２に示すように、紙片４０を箱体内に収納した状態で、図５に示すように、袋３に入れて郵送すればよい。この際、袋３には、送り先の住所やメッセージ等を記載した送り状５（荷札）を紐などでつけることができる。また、上部材上板１１及び下部材前板２２から視認される紙片４０の第四片４４又は第三片４３の少なくとも一方に、上記操作方法についての説明を記しておくことが好ましい。
【００３５】
これを受け取った人は、袋３からケースを取出した際、上部材１０及び下部材２０が透明であるので、確実に第三片４３及び第四片４４に記載された内容を見ることとなる。そして、第三片４３又は第四片４４に記載された説明に従って、操作することで、第一片４１に記載された文面を見ることとなる。本実施例のケースをダイレクトメールに使用すれば、従来無かった送付方法であるので、受け取った人の興味関心を引き立てることができる。しかも、ケースが透明であるので、確実に文面を見ることとなると共に、上述のような操作をすることとなるので、さらに、受け取った人の関心をひくことができる。そして、上述したように、例えば第四片４４にカレンダーなどを記載しておくことで、各家庭においてそのまま卓上カレンダーとして使用することができ、各家庭に自社の名前が入ったものを置いておくことができる。
【００３６】
また、紙片４０の第一片４１、第二片４２、第三片４３および第四片４４に文面等を記載しておいて、前記操作が終了後、各片４１，４２，４３，４４を上部材１０の上板１１、下部材２０の前板２２、下板２１及び後板２３に沿うように展開配置するようにしてもよい。なお、紙片４０は、上記構成に限らず、多種多様の構成とすることができる。例えば、長方形の紙片を幅方向で二つ折りした後、長手方向に四分割するよう折りたたんだものを用いてもよい。そして、この内外面には、メッセージや写真、カレンダーなどを記載しておき、開封後には、ケース内面に沿うよう展開して使用できるようにしておくとよい。
【００３７】
また、本実施例のケースは、上述したように、上部材１０が下部材２０に対して、その上下方向の位置が所望の位置にて保持可能とされているので、例えば、ケース内に匂いの源を収納して、芳香剤として使用することも可能である。
図６は、ケース内に匂いをつけた花（プリザーブドフラワー）を収容した状態を示す斜視図である。
【００３８】
図６に示すように、ケース内に匂いを発生させる花７などを収納した場合、その匂いをケース外部へ放出するには、下部材２０に対して上部材１０を若干引き上げればよい。これにより、上部材１０の上板１１と下部材２０の前後板２２，２３との隙間Ｓ１、及び下部材２０の下板２１と上部材１０の左右板１２，１３との隙間Ｓ２とから匂いが放出される。
【００３９】
従来の芳香剤では、液体や固体などの匂いの発生源を容器内に収納し、容器の蓋や容器内に差し込まれた布状部などから匂いを放出させていた。そして、容器の周囲に包装紙を巻きつけて内部を見えないようにしたり、陶器などで容器を形成したりしていた。しかし、本実施例のケースによれば、図６に示すように、匂いをしみ込ませた花７などをいれておくだけで、芳香剤としての機能を果たす一方、インテリアにもなる。また、上部材１０の引き上げ量を調整することで、匂いの放出量も変えることが可能である。さらに、従来の芳香剤の場合、上下一方のみからにおいを放出させていたが、本実施例によれば上下両方からにおいを放出させることができる。
【００４０】
ところで、上述したように、ケース内には、カレンダーを記載した紙片を収容できる。この際、次に述べるように、立方体状の紙箱からなるカレンダーとしてもよい。
図７は、ケース内に収容される紙箱状カレンダーを構成する３つの短冊状紙片を示す展開図であり、図８および図９は、図７の３つの短冊状紙片を組み合せて一つの立方体を形成する際の状態を示す斜視図である。
【００４１】
このカレンダーは、図７に示すような、正方形の四つの紙片が一列に連接された三つの短冊状紙片Ｘ，Ｙ，Ｚを、それぞれ四角形の筒状に折り曲げて、のり代部分で端部同士を接合したものを使用する。本実施例では、紙片Ｘには、図７において上から、１１月、１０月、５月、８月の各カレンダーが記載され、１１月、１０月および８月の欄は、左横向き（左側を頭にした横向き）に記載されており、５月は上下逆に記載されている。また、紙片Ｙには、上から、４月、９月、１２月、３月の各カレンダーが記載され、４月および３月の欄は、右横向き（右側を頭にした横向き）に記載されており、１２月は上下逆に記載されている。さらに、紙片Ｚには、上から、７月、１月、２月、６月の各カレンダーが記載され、６月の欄は、左横向きに記載されている。
【００４２】
このような各紙片は、それぞれ端部同士が接合された四角形の筒状に形成されるが、その際、図８、図９に示すように、紙片Ｙの一の側板に紙片Ｘが巻かれるよう配置され、紙片Ｙの他の側板に紙片Ｚが巻かれるよう配置される。具体的には、例えば図８に示すように、紙片Ｙで形成した筒部の左側および前方にそれぞれ、紙片Ｘで形成した筒部、紙片Ｚで形成した筒部を配置すればよい。この際、図８に示すように、紙片Ｙを図７に示す展開図における右側端辺を上方に向けて上下に開口する筒状に形成し、紙片Ｘを図７における右側端辺を後方に向けて前後に開口する筒状に形成し、紙片Ｚを図７における右側端辺を右側に向けて左右に開口する筒状に形成する。このような構成の場合、例えば１月から６月までの各月を表示させた箱体を作成したい場合、図８に示すように、各紙片を配置した上、紙片Ｙの上下面を塞ぐよう紙片Ｚをスライドさせた上、その紙片Ｚの中に紙片Ｘを収容するようスライドすればよい。また同様に、例えば７月から１２月までの各月を表示させた箱体を作成したい場合、図９に示すように、各紙片を配置した上、紙片Ｙの上下面を塞ぐよう紙片Ｘをスライドさせた上、その紙片Ｘの中に紙片Ｚを収容するようスライドすればよい。なお、図８および図９において、図中に示された数字は、カレンダーの月を示し、その数字の方向は、記載方向を示している。
【００４３】
そして、図８および図９の状態から、紙片Ｘ，Ｚをスライドさせて、立方体状にしたものをそのまま使用できる他、ケース内に収容して使用できる。なお、この紙箱は、ケースの内寸と適合する大きさに形成されている。ケースは、透明であるので、１月から６月まで、および７月から１２月までをそれぞれ外部から視認することが可能とされる。
【００４４】
さらに、本発明のケースにおいて、下部材２０に対し上部材１０を上方へスライドさせる際の動きを利用して、接点を開閉させることで、例えばケースを開くとメロディを流したり、或いはケースを開くと電球を点灯させたりするように構成してもよい。つまり、ケースが閉じられた際には回路の接点を開放しておくが、ケースが開けられた際にはその接点同士を接触するよう構成しておくことで、ケース内部に配置した小型スピーカや電球などを可動させるのである。
【００４５】
なお、上記各実施例では、上部材１０および下部材２０をそれぞれ上下に配置して上下に開くよう使用する方法について説明したが、上部材１０および下部材２０をそれぞれ左右に配置して左右に開くよう使用することができることは言うまでもない。
【００４６】
このように、本発明のケースによれば、各種小物等を入れてディスプレイケースとして使用できるほか、ダイレクトメールとしても使用することができ、この場合、受け取った人の関心を確実にひくことができる。
【００４７】
本発明のケースは、上記各実施例の構成に限らず、適宜変更可能である。
上記実施例では、上部材の上板後辺に紙片の第一片の一辺を貼着したが、上板の前辺若しくは左右辺に貼着するようにしても構わない。また、上記実施例では、ケースを立方体形状としたが、直方体形状としても構わない。この際、コ字形のケース構成材（上部材、下部材）の中央片（上板、下板）を正方形としておけば、両ケース構成材を共通化して、一つの金型で製作することができる。
【図面の簡単な説明】
【００４８】
【図１】本発明のケースの一実施例を示す図であり、（ａ）は分解斜視図であり、（ｂ）は組立状態の横断面図である。
【図２】図１のケースをダイレクトメールなどとして使用する状態を示す図であり、ケースを閉じた状態を示す図であり、（ａ）はその斜視図、（ｂ）は縦断面図である。
【図３】図２の状態から上部材を若干上方に引き上げた状態を示す図であり、（ａ）はその斜視図であり、（ｂ）は縦断面図である。
【図４】図３の状態からさらに上部材を上方に引き上げた状態を示す図であり、（ａ）はその斜視図であり、（ｂ）は縦断面図である。
【図５】図２に示すケースの郵送時の状態を示す斜視図である。
【図６】図１のケース内に匂いをつけた花（プリザーブドフラワー）を収容した状態を示す斜視図である。
【図７】図１のケース内に収容される紙箱状カレンダーを構成する３つの短冊状紙片を示す展開図である。
【図８】図７の３つの短冊状紙片を組み合せて、１月から６月までのカレンダーを構成する一つの立方体を形成する際の状態を示す斜視図である。
【図９】図７の３つの短冊状紙片を組み合せて、７月から１２月までのカレンダーを構成する一つの立方体を形成する際の状態を示す斜視図である。
【符号の説明】
【００４９】
１  セロハンテープ
３  袋
５  送り状
７  花
１０  上部材
１１  上板
１１ａ，１１ｂ  前後端面
１２  左板
１２ａ，１２ｂ  前後端面
１２ｃ  下端面
１３  右板
１３ａ，１３ｂ  前後端面
１３ｃ  下端面
２０  下部材
２１  下板
２２  前板
２３  後板
３０，３１  リボン
４０  紙片
４１  第一片
４２  第二片
４３  第三片
４４  第四片
【図１】
2005212804.tif 000003
【図２】
2005212804.tif 000004
【図３】
2005212804.tif 000005
【図４】
2005212804.tif 000006
【図５】
2005212804.tif 000007
【図６】
2005212804.tif 000008
【図７】
2005212804.tif 000009
【図８】
2005212804.tif 000010
【図９】
2005212804.tif 000011